Podtech/llm-jp-corpus-v4-ja_patent huggingface dataset:
【手続補正書】
【提出日】平成18年6月8日(2006.6.8)
【手続補正１】
【補正対象書類名】明細書
【補正対象項目名】発明の名称
【補正方法】変更
【補正の内容】
【発明の名称】ヒト成長因子と組み合わせた脈管形成剤としてのコンポーネントＢの使用
【手続補正２】
【補正対象書類名】明細書
【補正対象項目名】特許請求の範囲
【補正方法】変更
【補正の内容】
【特許請求の範囲】
【請求項１】  ヒト成長因子と組み合わせた脈管形成剤として使用されるコンポーネントＢ。
【請求項２】  体内の何れかの組織に対する創傷、潰瘍および他の外傷性損傷の治療のために使用される、請求項１記載のコンポーネントＢ。
【請求項３】  コンポーネントＢおよびヒト成長因子を活性成分として薬学上受容可能な賦形剤と共に含む、瘢痕形成剤として有用な薬剤組成物。
【請求項４】  単一投与用量にて２つの活性成分が存在する、請求項３記載の薬剤組成物。
【請求項５】  別々の投与用量にて２つの活性成分が各々存在する、請求項３記載の薬剤組成物。
【請求項６】  ヒト成長因子がｂＦＧＦまたはＶＥＧＦである、請求項３乃至５の何れか１項記載の薬剤組成物。
【手続補正書】
【提出日】平成18年6月20日(2006.6.20)
【手続補正１】
【補正対象書類名】明細書
【補正対象項目名】特許請求の範囲
【補正方法】変更
【補正の内容】
【特許請求の範囲】
【請求項１】  生物学的薬剤を特定の組織部位に送達するための組成物であって、以下：
タンパク質でカプセル化され不溶性ガスを含有する複数の微小泡の水性懸濁液を含み、該生物学的薬剤が、該タンパク質に結合体化されており、該懸濁液が、大気中での超音波処理を介して得られる微小泡内の酸素含量よりも高い該微小泡内の酸素含量、および大気中での超音波処理を介して得られる微小泡内のＮ2分圧よりも低い該微小泡内のＮ2分圧を生じる条件下で形成され、そして
該懸濁液を含む該組成物は、動物に投与するのに適しており、その結果該タンパク質が、該微小泡が結合体化した薬剤を該タンパク質のバイオプロセシング部位に指向させ、そして該微小泡の消散の際に該薬剤を放出する、組成物。
【請求項２】  前記微小泡の消散が、前記組織部位を超音波に曝露することによってもたらされる、請求項１に記載の組成物。
【請求項３】  生物学的薬剤を動物の標的部位へ送達するための組成物であって、以下：
タンパク質でカプセル化され不溶性ガスを含有する複数の微小泡の水性懸濁液を含み、該生物学的薬剤が、該タンパク質に結合体化されており、該懸濁液が、大気中での超音波処理を介して得られる微小泡内の酸素含量よりも高い該微小泡内の酸素含量、および大気中での超音波処理を介して得られる微小泡内のＮ2分圧よりも低い該微小泡内のＮ2分圧を生じる条件下で形成され、
該懸濁液を含む該組成物は、該動物に投与するのに適しており、そして
該標的部位に超音波場を適用することが意図される、組成物。
【請求項４】  前記微小泡がＮ2を含まない環境で形成される、請求項１〜３のいずれか１項に記載の組成物。
【請求項５】  前記環境が酸素からなる、請求項４に記載の組成物。
【請求項６】  前記タンパク質が、アルブミン、ヒトγグロブリン、ヒトアポトランスフェリン、β−ラクトースおよびウレアーゼからなる群より選択される、請求項１〜３のいずれか１項に記載の組成物。
【請求項７】  前記タンパク質がアルブミンである、請求項６に記載の組成物。
【請求項８】  前記不溶性ガスが、ペルフルオロメタン、ペルフルオロエタン、ペルフルオロプロパン、ペルフルオロブタン、およびペルフルオロペンタンからなる群より選択される、請求項１〜３のいずれか１項に記載の組成物。
【請求項９】  前記生物学的薬剤が、アンチセンスオリゴヌクレオチド、アンチジーンオリゴヌクレオチド、オリゴヌクレオチドプローブ、ベクター、ウイルスベクター、およびプラスミドからなる群より選択されるポリヌクレオチドである、請求項１〜３のいずれか１項に記載の組成物。
【請求項１０】  前記微小泡が以下：
（ａ）５重量％〜５０重量％のデキストロースを含むデキストロース水溶液を用いて、約２重量％〜約１０重量％のヒト血清アルブミンを含むアルブミン水溶液を、約２倍〜約８倍に希釈する工程；
（ｂ）該溶液を前記不溶性ガスで攪拌する工程；および
（ｃ）Ｎ2枯渇環境において、該溶液を超音波処理ホーンに曝露し、該溶液中で微粒子部位に空洞を作製し、それによって直径約０．１〜１０ミクロンの安定した微小泡を生成する工程、
によって形成される、請求項１〜３のいずれか１項に記載の組成物。
【請求項１１】  工程（ｃ）における前記Ｎ2枯渇環境が酸素からなる、請求項１０に記載の組成物。
【請求項１２】  前記酸素が、前記超音波処理ホーンと前記溶液との間の界面に吹き込まれる、請求項１１に記載の組成物。
【請求項１３】  血管の外傷を受けた動物における頸動脈狭窄形成を防ぐための組成物であって、該組成物は：
タンパク質でカプセル化され不溶性ガスを含有する複数の微小泡の水性懸濁液を含み、ここで該タンパク質が、平滑筋の増殖を媒介する調節酵素をコードする遺伝子の発現を阻害するオリゴヌクレオチドに結合体化されており、そして
該動脈部位に超音波場を適用することが意図される、組成物。
【請求項１４】  前記微小泡が、大気中での超音波処理を介して得られる微小泡内の酸素含量よりも高い該微小泡内の酸素含量、および大気中での超音波処理を介して得られる微小泡内のＮ2分圧よりも低い該微小泡内のＮ2分圧を生じる条件下で形成される、請求項１３に記載の組成物。
【請求項１５】  前記遺伝子がｃ−ｍｙｃまたはｃ−ｍｙｂである、請求項１３に記載の組成物。
【請求項１６】  微小泡組成物であって、タンパク質でカプセル化され不溶性ガスを含有する微小泡の水性懸濁液を含み、該微小泡が、大気中での超音波処理を介して得られる微小泡内の酸素含量よりも高い該微小泡内の酸素含量、および大気中での超音波処理を介して得られる微小泡内のＮ2分圧よりも低い該微小泡内のＮ2分圧を有する、微小泡組成物。
【請求項１７】  前記タンパク質に結合体化した生物学的薬剤をさらに含む、請求項１６に記載の組成物。
【請求項１８】  前記タンパク質が、アルブミン、ヒトγグロブリン、ヒトアポトランスフェリン、β−ラクトースおよびウレアーゼからなる群より選択される、請求項１６に記載の組成物。
【請求項１９】  前記タンパク質がアルブミンである、請求項１８に記載の組成物。
【請求項２０】  前記不溶性ガスがペルフルオロカーボンである、請求項１６に記載の組成物。
【請求項２１】  前記ガスが、ペルフルオロメタン、ペルフルオロエタン、ペルフルオロプロパン、ペルフルオロブタン、およびペルフルオロペンタンからなる群より選択される、請求項２０に記載の組成物。
【請求項２２】  前記生物学的薬剤がオリゴヌクレオチドである、請求項１７に記載の組成物。
【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】  帯状ヘルペスを治療するための医薬組成物であって：
（ａ）鎮痛有効量のＧＡＢＡ類縁体；及び
（ｂ）有効量の抗ウイルス剤
を含んでなる医薬組成物。
【請求項２】  ＧＡＢＡ類縁体が、式Ｉ：
【化１】
2002520300.tif 000001
（式中、Ｒ1 は水素又は低級アルキルであり、ｎは４〜６の整数である。）
の化合物及びその薬学的に許容できる塩である、請求項１記載の組成物。
【請求項３】  式Ｉの化合物がガバペンチンを含んでなる、請求項２記載の組成物。
【請求項４】  抗ウイルス剤が、アシクロビル、ファムシクロビル、バラシロビル、ペニクロビル、及びそれらの混合物からなる群から選択される、請求項１記載の組成物。
【請求項５】  約１０〜約４００ｍｇの式Ｉの化合物を含んでなる、請求項２記載の組成物。
【請求項６】  約１０〜約４００ｍｇのガバペンチンを含んでなる、請求項３記載の組成物。
【請求項７】  約１０〜約４００ｍｇのガバペンチンと約６０〜約２００ｍｇの抗ウイルス剤を含んでなる、請求項３記載の組成物。
【請求項８】  ＧＡＢＡ類縁体が、式II：
【化２】
2002520300.tif 000002
（式中、Ｒ2 は、１〜６の炭素原子の直鎖状又は分枝状のアルキル、フェニル、又は３〜６の炭素原子を有するシクロアルキルであり、Ｒ3 は、水素又はメチルであり、そしてＲ4 は、水素、メチル、又はカルボキシルである。）
の化合物である、請求項１記載の組成物。
【請求項９】  式IIの化合物がプレガバリンを含んでなる、請求項８記載の組成物。
【請求項１０】  約０．１５〜約６５ｍｇの式IIの化合物を含んでなる、請求項８記載の組成物。
【請求項１１】  約０．１５〜約６５ｍｇのプレガバリンを含んでなる、請求項９記載の組成物。
【請求項１２】  哺乳動物における帯状ヘルペスを治療するための組成物であって：
（ａ）鎮痛有効量のＧＡＢＡ類縁体；及び
（ｂ）有効量の抗ウイルス剤
を含んでなる組成物。
【請求項１３】  ＧＡＢＡ類縁体が、式Ｉ：
【化３】
2002520300.tif 000003
（式中、Ｒ1 は水素又は低級アルキルであり、ｎは４〜６の整数である。）
の化合物及びその薬学的に許容できる塩である、請求項１２記載の組成物。
【請求項１４】  式Ｉの化合物がガバペンチンを含んでなる、請求項１３記載の組成物。
【請求項１５】  約１０〜約４００ｍｇの式Ｉの化合物を含んでなる、請求項１３記載の組成物。
【請求項１６】  約１０〜約４００ｍｇのガバペンチンを含んでなる、請求項１４記載の組成物。
【請求項１７】  ＧＡＢＡ類縁体が、式II：
【化４】
2002520300.tif 000004
（式中、Ｒ2 は、１〜６の炭素原子の直鎖状又は分枝状のアルキル、フェニル、又は３〜６の炭素原子を有するシクロアルキルであり、Ｒ3 は、水素又はメチルであり、そしてＲ4 は、水素、メチル、又はカルボキシルである。）
の化合物である、請求項１２記載の組成物。
【請求項１８】  式IIの化合物がプレガバリンを含んでなる、請求項１７記載の組成物。
【請求項１９】  約０．１５〜約６５ｍｇの式IIの化合物を含んでなる、請求項１７記載の組成物。
【請求項２０】  約０．１５〜約６５ｍｇのプレガバリンを含んでなる、請求項１９記載の組成物。
【手続補正書】
【提出日】平成18年7月7日(2006.7.7)
【手続補正１】
【補正対象書類名】明細書
【補正対象項目名】特許請求の範囲
【補正方法】変更
【補正の内容】
【特許請求の範囲】
【請求項１】  治療剤に作動可能に付着されたアミノリン脂質に結合する標的化剤を含む結合リガンドであって、ここで該標的化剤は、細胞傷害性薬剤に結合体化される、抗リン脂質自己免疫疾患を伴う患者から得られる抗ホスファチジルセリン抗体ではない、結合リガンド。
【請求項２】  前記標的化剤が抗アミノリン脂質抗体またはそれらの抗原結合フラグメントを含む、請求項１に記載の結合リガンド。
【請求項３】  前記標的化剤が、モノクローナル抗アミノリン脂質抗体、二重特異的抗アミノリン脂質抗体、キメラ抗アミノリン脂質抗体、組換え抗アミノリン脂質抗体、操作された抗アミノリン脂質抗体、ヒト抗アミノリン脂質抗体、ヒト化抗アミノリン脂質抗体または部分ヒトキメラ抗アミノリン脂質抗体、あるいはそのｓｃＦｖ抗原結合フラグメント、Ｆｖ抗原結合フラグメント、Ｆａｂ’抗原結合フラグメント、Ｆａｂ抗原結合フラグメント、またはＦ（ａｂ’）２抗原結合フラグメントを含む、請求項１に記載の結合リガンド。
【請求項４】  前記標的化剤が、アミノリン脂質結合タンパク質またはそれらのアミノリン脂質結合フラグメントを含む、請求項１に記載の結合リガンド。
【請求項５】  前記標的化剤は、アネキシンまたはキニノーゲン、またはそのアミノリン脂質結合フラグメントを含む、請求項１に記載の結合リガンド。
【請求項６】  前記標的化剤がホスファチジルエタノールアミンに結合する、請求項１〜５のいずれか一項に記載の結合リガンド。
【請求項７】  前記標的化剤がホスファチジルセリンに結合する、請求項１〜６のいずれか一項に記載の結合リガンド。
【請求項８】  前記標的化剤がアミノリン脂質−タンパク質複合体に結合する、請求項１〜７のいずれか１項に記載の結合リガンド。
【請求項９】  前記標的化剤がホスファチジルセリンおよびβ２−糖タンパク質Ｉ複合体に結合する、請求項８に記載の結合リガンド。
【請求項１０】  前記標的化剤が抗細胞性薬剤または細胞傷害性薬剤に付着される、請求項１〜９のいずれか一項に記載の結合リガンド。
【請求項１１】  前記標的化剤が、ステロイド、サイトカイン、代謝拮抗物質、アントラサイクリン、ビンカアルカロイド、抗生物質、アルキル化薬剤、エピポドフィロトキシン、ＤＮＡ合成インヒビター、ダウノルビシン、ドキソルビシン、アドリアマイシン、または植物由来毒素、真菌由来毒素または細菌由来毒素に付着される、請求項１０に記載の結合リガンド。
【請求項１２】  前記標的化剤が凝固因子に付着される、請求項１〜６のいずれか一項に記載の結合リガンド。
【請求項１３】  前記標的化剤が組織因子、二量体組織因子、三量体組織因子、多量体組織因子、変異体組織因子、短縮型組織因子、または組織因子誘導体に付着される、請求項１２に記載の結合リガンド。
【請求項１４】  リポソーム処方物または薬学的に受容可能な処方物として処方される、請求項１〜１３のいずれか１項に記載の結合リガンド。
【請求項１５】  血管化腫瘍を有する動物への投与の際の癌の処置において使用するための、請求項１〜１４のいずれか一項に記載の結合リガンド。
【請求項１６】  腫瘍血管内皮細胞を殺傷するか、または血管化腫瘍の血管系における凝固を破壊もしくは誘導することによる癌の処置のための医薬品の製造における、請求項１〜１５のいずれか一項に記載の結合リガンドの使用。
【手続補正書】
【提出日】平成18年6月30日(2006.6.30)
【手続補正１】
【補正対象書類名】明細書
【補正対象項目名】特許請求の範囲
【補正方法】変更
【補正の内容】
【特許請求の範囲】
【請求項１】  アルプラゾラム、ミルタザピン、トリミプラミン、クロルジアゼポキシド、モクロベミド、トリプトファン、クロミプラミン、ネファゾドン、ベンラファキシンもしくはチンピロール、ノルトリプチリン、ビロキサジン、ジベンゼピン、オピプラモル、ドキセピン、パロキセチン、フルボキサミン、セルトラリン、ロフェプラミン、スルピリド、マプロチリン、トラニルシプロミン、ミアンセリン、トラゾドンからなる群から選ばれた通常の抗うつ薬又はその薬理学上許される塩の一種と一緒に2-アミノ-4,5,6,7-テトラヒドロ-6-n-プロピルアミノ-ベンゾチアゾール、その鏡像体の一種又はその酸付加塩を含むことを特徴とするうつ病の治療薬。
【請求項２】  2-アミノ-4,5,6,7-テトラヒドロ-6-n-プロピルアミノ-ベンゾチアゾールの(+)-鏡像体又はその酸付加塩の一種を含むことを特徴とする請求の範囲第１項記載の治療薬。
【請求項３】  2-アミノ-4,5,6,7-テトラヒドロ-6-n-プロピルアミノ-ベンゾチアゾールの(-)-鏡像体又はその酸付加塩の一種を含むことを特徴とする請求の範囲第１項記載の治療薬。
【請求項４】  2-アミノ-4,5,6,7-テトラヒドロ-6-n-プロピルアミノ-ベンゾチアゾール二塩酸塩、特に2-アミノ-4,5,6,7-テトラヒドロ-6-n-プロピルアミノ-ベンゾチアゾール二塩酸塩一水和物を含むことを特徴とする請求の範囲第１項〜第３項の一項に記載の治療薬。
【請求項５】  製剤が0.05-10mgの2-アミノ-4,5,6,7-テトラヒドロ-6-n-プロピルアミノ-ベンゾチアゾール、その鏡像体の一種又はその酸付加塩の一種、プラミペキソール又はプラミペキソール二塩酸塩一水和物を含むことを特徴とする請求の範囲第１項記載の治療薬。
【請求項６】  製剤が0.088-1.5mgの2-アミノ-4,5,6,7-テトラヒドロ-6-n-プロピルアミノ-ベンゾチアゾール、その鏡像体の一種又はその酸付加塩の一種、プラミペキソール又はプラミペキソール二塩酸塩一水和物を含むことを特徴とする請求の範囲第１項記載の医薬製剤。
【請求項７】  2-アミノ-4,5,6,7-テトラヒドロ-6-n-プロピルアミノ-ベンゾチアゾール、その鏡像体の一種、その酸付加塩の一種、プラミペキソール又はプラミペキソール二塩酸塩一水和物及びセルトラリン又はその医薬上許される酸付加塩を含むことを特徴とする治療薬。
【請求項８】  プラミペキソール又はプラミペキソール二塩酸塩及びセルトラリン又はその医薬上許される酸付加塩を含むことを特徴とする治療薬。
【請求項９】  0.088-1.1mgのプラミペキソール又は0.125-1.5mgのプラミペキソール二塩酸塩一水和物を含むことを特徴とする請求の範囲第８項記載の治療薬。
【請求項１０】  25-200mgのセルトラリンを含むことを特徴とする請求の範囲第８項〜第９項の一項記載の治療薬。
【請求項１１】  50mgのセルトラリンを含むことを特徴とする請求の範囲第１０項記載の治療薬。
【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】  トレッドと、２枚のサイドウォールおよび２つの非伸長性環状ビードを備えたカーカスと、ラジアルプライ構造と、１つまたは２つ以上のサイドウォール補強インサートと、前記トレッドと前記ラジアルプライ構造との間に位置するベルト構造と、前記ベルト構造の領域内に位置する、周方向に設置された少なくとも１つの圧縮応力支持ベルト補強層と、前記ラジアルプライ構造の領域内に位置する、周方向に設置された少なくとも１つの引張応力支持ファブリック補強層と、を有する空気入りラジアルプライランフラットタイヤにおいて、
前記周方向に設置された少なくとも１つの圧縮応力支持ベルト補強層は前記タイヤの赤道面に対して約２０°から８５°の間に位置合わせされている複数の金属製の補強コードを有し、
前記周方向に設置された少なくとも１つの引張応力支持ファブリック補強層は前記タイヤの赤道面に対して４５°から８５°の間に位置合わせされている複数のコードを有しており、
前記少なくとも１つのファブリック補強層はアラミド、レイヨン、およびポリエステルを含むグループから選択された高係数材料から成る補強コードを有している、
ことを特徴とする空気入りラジアルプライランフラットタイヤ。
【請求項２】  トレッドと、２枚のサイドウォールおよび２つの非伸長性環状ビードを備えたカーカスと、ラジアルプライ構造と、１つまたは２つ以上のサイドウォール補強インサートと、前記トレッドと半径方向に最も外側のラジアルプライ層および半径方向に最も内側のラジアルプライ層からなる前記ラジアルプライ構造との間に位置するベルト構造と、を有する空気入りラジアルプライランフラットタイヤにおいて、
少なくとも第１および第２の引張応力支持ファブリック補強層が、前記第１の引張応力支持ファブリック補強層は前記半径方向に最も外側のラジアルプライ層の半径方向内側に設置され、かつ前記第２の引張応力支持ファブリック補強層は前記半径方向に最も内側のラジアルプライ層の半径方向内側に設置されるように設置されていることを特徴とする空気入りラジアルプライランフラットタイヤ。
【請求項３】  トレッドと、２枚のサイドウォールを備えたカーカスと、２つの非伸長性環状ビードと、ラジアルプライ構造と、１つまたは２つ以上のサイドウォール補強インサートと、前記トレッドと半径方向に最も外側のラジアルプライ層および半径方向に最も内側のラジアルプライ層からなる前記ラジアルプライ構造との間に位置するベルト構造と、を有する空気入りラジアルプライランフラットタイヤにおいて、
少なくとも第１および第２の引張応力支持ファブリック補強層が、それらが前記ラジアルプライ構造の少なくとも１つの前記ラジアルプライ層によって分離されるように設置されていることを特徴とする空気入りラジアルプライランフラットタイヤ。
【手続補正書】
【提出日】平成18年6月29日(2006.6.29)
【手続補正１】
【補正対象書類名】明細書
【補正対象項目名】特許請求の範囲
【補正方法】変更
【補正の内容】
【特許請求の範囲】
【請求項１】  ペロブスカイトまたはペロブスカイト様結晶構造、および所定の理論含有率の酸素、ならびに高いＢＥＴ比表面積を有する金属酸化物を機械合成するための方法であって、前記金属酸化物が、一般式ＡＢＯ3のペロブスカイト、一般式［（ＡＢＯ3）n＋ＣyＯz］のペロブスカイト様材料、ペロブスカイトから誘導され、且つ一般式（ＡＢＯ3-x）を有する非化学量論的化合物、およびペロブスカイト様材料から誘導され、且つ一般式［（ＡＢＯ3-x）n＋ＣyＯz］を有する非化学量論的化合物
（但し、前記式中、
Ａは、Ａｌ、Ｙ、Ｎａ、Ｋ、Ｒｂ、Ｃｓ、Ｐｂ、Ｌａ、Ｓｒ、Ｂａ、Ｃｒ、Ａｇ、Ｃａ、Ｐｒ、Ｎｄ、Ｂｉおよび周期表のランタン系列の元素からなる群から選択される少なくとも一つの元素を含んでなり、
Ｂは、Ａｌ、Ｇａ、Ｉｎ、Ｚｒ、Ｎｂ、Ｓｎ、Ｒｕ、Ｒｈ、Ｐｄ、Ｒｅ、Ｏｓ、Ｉｒ、Ｐｔ、Ｕ、Ｃｏ、Ｆｅ、Ｎｉ、Ｍｎ、Ｃｒ、Ｔｉ、Ｃｕ、Ｍｇ、Ｖ、Ｎｂ、Ｔａ、ＭｏおよびＷからなる群から選択される少なくとも一つの元素を含んでなり、
Ｃは、Ｇａ、Ｉｎ、Ｚｒ、Ｎｂ、Ｓｎ、Ｒｕ、Ｒｈ、Ｐｄ、Ｒｅ、Ｏｓ、Ｉｒ、Ｐｔ、Ｕ、Ｃｏ、Ｆｅ、Ｎｉ、Ｍｎ、Ｃｒ、Ｔｉ、Ｃｕ、Ｍｇ、Ｖ、Ｎｂ、Ｔａ、Ｍｏ、Ｗ、Ａｌ、Ｙ、Ｎａ、Ｋ、Ｒｂ、Ｃｓ、Ｐｂ、Ｌａ、Ｓｒ、Ｂａ、Ｃｒ、Ａｇ、Ｃａ、Ｐｒ、Ｎｄ、Ｂｉおよび周期表のランタン系列の元素からなる群から選択される少なくとも一つの元素を表わし、
ｎは、１と１０の間の整数を表わし、
０＜ｘ＜３であり、
ｙは、１と５の間の整数を表わし、
ｚは、１と５の間の整数を表わす。）
からなる群から選択され、前記方法が、
ａ）前記式中でＡ、ＢおよびＣにより表わされる成分を含有するよう配合された、酸化物、水酸化物、炭酸塩、硝酸塩、又はシュウ酸塩の形態の出発粉末の混合物に、成分の化学反応を誘発し、それによってＸ線回折法により決定される微小結晶構造を有するペロブスカイトまたはペロブスカイト様材料の形態の前記金属酸化物を直接機械合成するために充分な高エネルギーミル粉砕を施す段階と、
ｂ）前記金属酸化物に湿った雰囲気下でさらに高エネルギーミル粉砕を施して高いＢＥＴ比表面積を有する金属酸化物を得ることによって、段階ａ）において得られた金属酸化物のＢＥＴ比表面積を増大させる段階を含んでなる、方法。
【請求項２】  段階ａ）の高エネルギーミル粉砕が、機械合成される金属酸化物の微小結晶構造および酸素の理論含有率を調節するために、調節された雰囲気下で行われることを特徴とする、請求項１に記載の方法。
【請求項３】  段階ａ）の雰囲気が、Ｈｅ、Ａｒ、Ｎ2、Ｏ2、Ｈ2、ＣＯ、ＣＯ2、ＮＯ2、ＮＨ3、Ｈ2Ｓおよびそれらの混合物からなる群から選択されるガスを含んでなることを特徴とする、請求項２に記載の方法。
【請求項４】  段階ｂ）のミル粉砕中に少量の水溶液を金属酸化物に添加して、増湿した金属酸化物を得る段階をさらに含んでなることを特徴とする、請求項１に記載の方法。
【請求項５】  段階ｂ）の高エネルギーミル粉砕が、機械合成される金属酸化物のＢＥＴ比表面積を調節するために、調節された雰囲気下で行われることを特徴とする、請求項１に記載の方法。
【請求項６】  段階ｂ）の雰囲気が、Ｈ2Ｏ、Ｈｅ、Ａｒ、Ｎ2、Ｏ2、Ｈ2、ＣＯ、ＣＯ2、ＮＯ2、ＮＨ3、Ｈ2Ｓおよびそれらの混合物からなる群から選択されるガスを含んでなることを特徴とする、請求項５に記載の方法。
【請求項７】  機械合成される金属酸化物の最終微細結晶構造を調節するために、出発粉末の一部を選択し、ミル粉砕する段階をさらに含んでなることを特徴とする、請求項１に記載の方法。
【請求項８】  ｃ）段階ｂ）のミル粉砕中に非反応性可溶性添加剤を添加する段階、および
ｄ）続いて前記可溶性添加剤を洗い落とす段階
をさらに含んでなることを特徴とする、請求項１に記載の方法。
【請求項９】  非反応性可溶性添加剤が、ＬｉＣｌ、ＮａＣｌ、ＲｂＣｌ、ＣｓＣｌ、ＮＨ4Ｃｌ、ＺｎＯ、およびそれらの混合物からなる群から選択されることを特徴とする、請求項８に記載の方法。
【請求項１０】  ペロブスカイトまたはペロブスカイト様結晶構造、および所定の理論含有率の酸素、ならびに高いＢＥＴ比表面積を有する金属酸化物を機械合成するための方法であって、前記金属酸化物が、一般式ＡＢＯ3のペロブスカイト、一般式［（ＡＢＯ3）n＋ＣyＯz］のペロブスカイト様材料、ペロブスカイトから誘導され、且つ一般式（ＡＢＯ3-x）を有する非化学量論的化合物、およびペロブスカイト様材料から誘導され、且つ一般式［（ＡＢＯ3-x）n＋ＣyＯz］を有する非化学量論的化合物
（但し、前記式中、
Ａは、Ａｌ、Ｙ、Ｎａ、Ｋ、Ｒｂ、Ｃｓ、Ｐｂ、Ｌａ、Ｓｒ、Ｂａ、Ｃｒ、Ａｇ、Ｃａ、Ｐｒ、Ｎｄ、Ｂｉおよび周期表のランタン系列の元素からなる群から選択される少なくとも一つの元素を含んでなり、
Ｂは、Ａｌ、Ｇａ、Ｉｎ、Ｚｒ、Ｎｂ、Ｓｎ、Ｒｕ、Ｒｈ、Ｐｄ、Ｒｅ、Ｏｓ、Ｉｒ、Ｐｔ、Ｕ、Ｃｏ、Ｆｅ、Ｎｉ、Ｍｎ、Ｃｒ、Ｔｉ、Ｃｕ、Ｍｇ、Ｖ、Ｎｂ、Ｔａ、ＭｏおよびＷからなる群から選択される少なくとも一つの元素を含んでなり、
Ｃは、Ｇａ、Ｉｎ、Ｚｒ、Ｎｂ、Ｓｎ、Ｒｕ、Ｒｈ、Ｐｄ、Ｒｅ、Ｏｓ、Ｉｒ、Ｐｔ、Ｕ、Ｃｏ、Ｆｅ、Ｎｉ、Ｍｎ、Ｃｒ、Ｔｉ、Ｃｕ、Ｍｇ、Ｖ、Ｎｂ、Ｔａ、Ｍｏ、Ｗ、Ａｌ、Ｙ、Ｎａ、Ｋ、Ｒｂ、Ｃｓ、Ｐｂ、Ｌａ、Ｓｒ、Ｂａ、Ｃｒ、Ａｇ、Ｃａ、Ｐｒ、Ｎｄ、Ｂｉおよび周期表のランタン系列の元素からなる群から選択される少なくとも一つの元素を表わし、
ｎは、１と１０の間の整数を表わし、
０＜ｘ＜３であり、
ｙは、１と５の間の整数を表わし、
ｚは、１と５の間の整数を表わす。）
からなる群から選択され、前記方法が、
ａ）前記式中でＡ、ＢおよびＣにより表わされる成分を含有するよう配合された、酸化物、水酸化物、炭酸塩、硝酸塩、又はシュウ酸塩の形態の出発粉末の混合物に、成分の化学反応を誘発し、それによってＸ線回折法により決定される微小結晶構造を有するペロブスカイトまたはペロブスカイト様材料の形態の前記金属酸化物を直接機械合成するために充分な高エネルギーミル粉砕を施す単一の段階と、
ｂ）前記金属酸化物に湿った雰囲気下でさらに高エネルギーミル粉砕を施して高いＢＥＴ比表面積を有する金属酸化物を得ることによって、段階ａ）において得られた金属酸化物のＢＥＴ比表面積を増大させる段階を含んでなる、方法。
【手続補正書】
【提出日】平成18年8月15日(2006.8.15)
【手続補正１】
【補正対象書類名】明細書
【補正対象項目名】特許請求の範囲
【補正方法】変更
【補正の内容】
【特許請求の範囲】
【請求項１】  患者における慢性リンパ性白血病（ＣＬＬ）の処置のための組成物であって、該組成物は、以下の式Ｉのインドールまたはカルバゾール誘導体あるいはその薬学的に受容可能な塩の治療的有効量を含み：
【化１】
2002520282.tif 000001
ここで、Ｒ1は、水素、低級アルキル、低級アルケニル、低級アルキニル、アルコキシ低級アルキル、低級シクロアルキル、フェニル、ベンジルおよび２−チエニルからなる群から選択され；Ｒ2およびＲ3は、同一であるかまたは異なり、そして各々は、水素および低級アルキルからなる群から選択され；Ｒ4およびＲ5は、同一であるかまたは異なり、そして各々は、水素、低級アルキル、−ＮＨ2、−ＮＨＣＨＯ、−ＮＨＣＯＮＨ2、＝ＮＷ、オキソ、−ＯＨおよび−ＯＣＨ3からなる群から選択され、ここでＷは、ヒドロキシ、アルコキシ、アリールオキシ、カルボキシアルキルオキシ、アリールアミノまたはアルキルスルホニルアミノであり；Ｒ6は、水素、低級アルキル、低級アルケニル、低級アルキニル、トリフルオロメチル、ヒドロキシ、低級アルコキシ、トリフルオロ低級アルコキシ、ベンジルオキシ、アラルオキシ、低級アルカノイルオキシ、アシル、アミノ、ニトロ、シアノ、アルキルイミド、ハロ、メルカプト、低級アルキルチオ、アルキルスルフィニル、アルキルスルホニル、アルキルスルホンアミドおよびスルファモイルからなる群から選択され；Ｒ7は、水素、低級アルキルおよび低級アルケニルからなる群から選択され；Ｘは、炭素、オキシ、およびチオからなる群から選択され；Ｙは、カルボニル、
【化２】
2002520282.tif 000002
からなる群から選択され、ここで、Ｒ8、Ｒ9、Ｒ10、Ｒ11、Ｒ12およびＲ13の各々は、水素または低級アルキルであり；そしてＺは、ヒドロキシ、低級アルコキシ、アミノ、低級アルキルアミノ、ジ（低級）アルキルアミノおよびフェニルアミノからなる群から選択される、組成物。
【請求項２】  前記インドールまたはカルバゾール誘導体がエトドラクである、請求項１に記載の組成物。
【請求項３】  請求項２に記載の組成物であって、ここで、１日当たり前記患者の体重１ｋｇ当たり約１．０ｍｇ〜５００ｍｇのエトドラクの用量で投与に適する、組成物。
【請求項４】  前記エトドラクは経口投与に適する、請求項３に記載の組成物。
【請求項５】  請求項１に記載の組成物であって、ここで、前記治療的有効量のインドールまたはカルバゾール化合物が、前記患者における白血病性リンパ球のレベルを減少させるに十分である、組成物。
【請求項６】  請求項１に記載の組成物であって、ここで、前記インドールまたはカルバゾール化合物が、薬学的組成物の形態である、組成物。
【請求項７】  請求項６に記載の組成物であって、ここで、前記薬学的組成物がさらに、薬学的に受容可能なキャリアまたは希釈液を含む、組成物。
【請求項８】  慢性リンパ性白血病の処置のための医薬の製造における、請求項１に記載の化合物の使用。
【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】  ビタミンＥおよびそのエステルからなる群から選択される化合物を含む、眼の粘膜に影響を与える疾患の局所治療用の薬剤。
【請求項２】  前記疾患には、流涙異常，角結膜炎，角膜炎，核膜痛，角膜潰瘍，角膜脱上皮化，ならびに眼の粘膜の乾燥および痒みが含まれる、請求項１に記載の薬剤。
【請求項３】  ビタミンＥおよびそのエステルからなる群から選択される化合物ならびにステロイド性および非ステロイド性抗炎症剤、抗生物質、抗真菌剤、およびホルモンから選択される少なくとも1つの活性物質からなる、眼の粘膜に影響を与える疾患の局所治療用の薬剤。
【請求項４】  薬学的に受容可能なキャリア、ビタミンＥおよびそのエステルからなる群から選択される１つの化合物、ならびに任意選択的に、ステロイド性および非ステロイド性抗炎症剤、抗生物質、抗真菌剤、およびホルモンからなる群から選択される少なくとも１つの有効成分を含む、眼の粘膜に影響を与える疾患の治療用の薬剤。
【請求項５】  ビタミンＥおよびそのエステルからなる群から選択される化合物を、唯一の活性物質として含む、口の粘膜に影響を与える疾患の局所治療用の薬剤。
【請求項６】  前記疾患には、アフター性潰瘍，口内炎，舌炎ならびに口の粘膜の乾燥および痒みが含まれる、請求項５に記載の薬剤。
【請求項７】  ビタミンＥおよびそのエステルからなる群から選択される化合物を含む、直腸の粘膜および肛門の粘膜皮膚移行部に影響を与える疾患の局所治療用の薬剤。
【請求項８】  前記疾患には、肛門掻痒，便失禁，直腸炎，潰瘍性直腸炎，直腸脱，直腸粘膜の乾燥および痒みが含まれる、請求項７に記載の薬剤。
【請求項９】  ビタミンＥおよびそのエステルからなる群から選択される化合物、ステロイド性および非ステロイド性抗炎症剤，抗生物質，抗真菌剤，およびホルモンからなる群から選択される少なくとも１つの活性物質からなる、直腸および肛門の粘膜皮膚移行部に影響を与える疾患の局所治療用の薬剤。
【請求項１０】  ビタミンＥおよびそのエステルからなる群から選択される化合物を含む、陰部ヘルペスの局所治療用の薬剤。
【請求項１１】  前記化合物はビタミンＥとカルボン酸（式Ｒ−ＣＯＯＨ）とのエステルであり、Ｒは１〜１９個の炭素原子を有するアルキル，アルケニルまたはアルキニル残基である、請求項１〜１０のいずれか１つに記載の薬剤。
【請求項１２】  前記カルボン酸は、酢酸，ｎ−プロピオン酸，コハク酸，およびリノール酸からなる群から選択される、請求項１１に記載の薬剤。
【請求項１３】  前記化合物に加えて少なくとも１つの更なる活性物質を含む請求項１〜１２のいずれかに記載の使用。
【請求項１４】  ビタミンＥおよびそのエステルからなる群から選択される化合物、ステロイド性および非ステロイド性抗炎症剤，抗生物質，抗真菌剤およびホルモンからなる群から選択される少なくとも１つの活性物質からなる、陰部ヘルペスの局所治療用の薬剤。
【請求項１５】  前記化合物はビタミンＥアセテートである、請求項１〜１４のいずれか１つに記載の薬剤。
【請求項１６】  ビタミンＥおよびそのエステルからなる群から選択される化合物を唯一の活性物質として含む、膣の粘膜に関連する疾患の局所治療用の薬剤。
【請求項１７】  前記疾患には、萎縮性膣炎，頸部外反症ならびに膣粘膜の乾燥および痒みを含む請求項１６に記載の薬剤。
【請求項１８】  ビタミンＥおよびそのエステルからなる群から選択される化合物を含む、鼻出血の局所治療用の薬剤。
【請求項１９】  前記化合物は唯一の活性物質である、請求項１、２、６〜８、１１〜１３、１５、１７及び１８のいずれか１つに記載の薬剤。
【請求項２０】  前記化合物は、唯一の成分である、請求項１９に記載の薬剤。
【手続補正書】
【提出日】平成18年6月19日(2006.6.19)
【手続補正１】
【補正対象書類名】明細書
【補正対象項目名】特許請求の範囲
【補正方法】変更
【補正の内容】
【特許請求の範囲】
【請求項１】  一連の容器に充填して容器をシールする包装機械用の消泡装置において、反射性の凹空所を有し、容器の経路上に配置された本体と、その反射性の凹空所内にある第１電気端子と、その反射性の凹空所内にあり、前記第１電気端子と電気的に近接した第２電気端子と、前記第１電気端子と電流供給可能に連結され、該第１電気端子と第２電気端子との間にアークを生じて衝撃波を発生させるためにその第１電気端子に高圧電流を供給するようになっている電源と、アークの発生を開始するために前記第１電気端子および第２電気端子に電気的に近接して配置された導電素子を有するトリガ回路とを具備することを特徴とする消泡装置。
【請求項２】  前記凹空所に対する開口に無線周波数フィルタが配置されている請求項１に記載の消泡装置。
【請求項３】  前記本体に隣接して配置され、衝撃波を指向するよう構成された音響ガイドを含む請求項１に記載の消泡装置。
【請求項４】  包装機械上の一連の容器を処理する方法にして、その包装機械の充填ステーションで発泡性製品を容器に充填する段階と、前記消泡装置に電気的に近接する導電性要素を有するトリガ回路を提供する段階と、そのトリガ回路の作動によって放電を発生させる段階と、消泡装置の反射天井を有する凹空所に放電を発生させて生じた衝撃波をその容器内の発泡性製品に指向して該容器内の製品を消泡させる段階と、その容器の頂部を密封して、充填かつ密封容器を得る段階とを含む方法。
【請求項５】  前記放電が前記凹空所内の空気を過熱して容器内の泡を崩壊させる衝撃波を発生させるようになっている請求項４に記載の方法。
【請求項６】  各容器に単一放電を印加するようになっている請求項４に記載の方法。
【請求項７】  一連のカートンを経路に沿って送るようにした包装機械にして、発泡性製品を前記カートンの各々に充填するための充填ステーションと、そのカートンの各々の複数の頂板を密封して成形充填密封カートンを形成する頂部密封ステーションと、前記充填ステーションと前記頂部密封ステーションとの間に設けられ、充填カートンの消泡を行う消泡装置とを有し、該消泡装置が、反射性の凹空所を有し、前記カートンの経路上に配置された本体と、その反射性の凹空所内にある第１電気端子と、その反射性の凹空所内にあり、前記第１電気端子に電気的に近接した第２電気端子と、前記第１電気端子と電流供給可能に連結され、該第１電気端子と第２電気端子との間にアークを生じて衝撃波を発生するためにその第１電気端子に高圧電流を供給するようになっている電源と、アークの発生を開始するため前記第１および第２電気端子に電気的に近接して配置された導電素子を有するトリガ回路とを有している包装機械。
【請求項８】  前記消泡装置の前記本体と前記充填カートンとの間に配置され、該充填カートンに対して衝撃波を指向するよう構成された音響ガイドを含む請求項７に記載の包装機械。
【手続補正２】
【補正対象書類名】明細書
【補正対象項目名】００１７
【補正方法】変更
【補正の内容】
【００１７】
二重処理ラインの上にある消泡装置２２の位置は図２aに最もよく示されている。二つの容器８０ａ，ｂは消泡装置２２の下に位置している。消泡装置２２は、凹空所１０２を画定している本体１００を有する。好ましくは、凹空所１０２は本体１００中に放物線状の形状を有し、凹空所１０２の放物線状の反射天井１０４を形成している。この反射天井１０４は、空気をそれぞれの容器８０ａ，ｂの内部に向かって方向付けるように反射性である。二つの端子、第１電気端子１０６と第２電気端子１０８が本体１００から突出している。例えば、第１電気端子１０６は陰極であることができ、第２電気端子１０８は陽極であることができる。例えば、高圧電流は第１電気端子１０６を通って送られ、第１電気端子１０６と第２電気端子１０８との間に電気アーク１０９を設ける。矢印１１０で例示されている音速の衝撃波はこの放電により作られる。衝撃波１１０は、稲妻と同じように、放電によって凹空所１０２内の空気の過熱により生じる。空気が加熱されると、空気は膨張して凹空所１０２内で圧力を増加する。音速の衝撃波１１０即ち圧縮空気は、容器８０ａ，ｂの内部に向かって方向付けられ、泡を壊し、折りたたみの前に製品の消泡をおこなう。反射性の天井１０４は、衝撃波の全ての進路を容器８０ａ，ｂの内部に向かって反射させるように作用して、衝撃波１１０の消泡効果を増大させる。しかし、当業者は、反射天井１０４が非放物線状の形状でもよく且つ本発明の範囲内であれば良いことを理解する。
【手続補正３】
【補正対象書類名】明細書
【補正対象項目名】００１８
【補正方法】変更
【補正の内容】
【００１８】
本体１００は、金属あるいは他の保護性の材料からなる保護シールド１１２によって閉じ込められてもよい。また、保護スクリーン１１４は、端子１０６および１０８との接触を防止するように、凹空所の上に配置されても良い。スクリーン１１４は、音速衝撃波で発生する電波を吸収するように、無線周波数フィルターであってもよい。電波は包装機械の作動に有害な効果をおよぼす。電源１１６は第１電気端子１０６あるいは第２電気端子１０８に接続されて高圧電流を供給する。第１電気端子１０６あるいは第２電気端子１０８の一つは、アース１１８に接続されてもよい。
【手続補正４】
【補正対象書類名】明細書
【補正対象項目名】００２３
【補正方法】変更
【補正の内容】
【００２３】
予期しないスパーク発生の機会を更に減少させるため、例えばイオン性の材料（塩、ミルク、ジュース、スープ等）の第１電気端子１０６と第２電気端子１０８への集積により生じる第１電気端子１０６と第２電気端子１０８への付着を最小化する或いは無くすることが望ましいことが判明した。当業者には理解できるように、第１電気端子１０６と第２電気端子１０８への付着はスパークに影響を及ぼし、且つ高圧の第１電気端子１０６からアースへの抵抗を低下させることでスパーク発生を危うくする。付着は、製品が容器８０に充填されるときに消泡装置の本体１００および第１電気端子１０６と第２電気端子１０８を製品から隔置することにより、減少させ或いは生じ無いようにすることができるのが判明した。このような装置では、図１１に例示されているような音響ガイド７００は、本体１００と容器８０との間に位置できる。この状態では、泡がつぶれるときに飛び出る液体は、消泡装置特に第１電気端子１０６と第２電気端子１０８に接触したり付着するほどには飛び出さない。図１１に例示されているような一つの実施例では、音響ガイド７００は、細長い円筒状の管として形成されている体部７０２である。管状の体部７０２は、スパークから出る衝撃波１１０をほぼ包み込み且つ衝撃波１１０を容器８０内の泡立ちした製品２０１に指向させる。
【手続補正５】
【補正対象書類名】明細書
【補正対象項目名】図１１
【補正方法】変更
【補正の内容】
【図１１】
本発明の１つの実施例に使われる音響ガイドを示している。
【手続補正書】
【提出日】平成18年1月11日(2006.1.11)
【手続補正１】
【補正対象書類名】明細書
【補正対象項目名】００１６
【補正方法】変更
【補正の内容】
【００１６】
さらなる実施形態によると、前面４の先端１１は、閉じる動作の最後の部分および開く動作の最初の部分それぞれの間に、側面７の上縁１６と物理的に接触する。したがって、カバー部分３は、突起および穴を必要とせずに底部分２にロックすることができる。この物理的接触の強度は、以下によって変更することができる：
ａ）側面７の高さの調節、
ｂ）上縁１６と蝶番９との間の距離に対して、蝶番９から前面４の内面までの距離の調節。
【手続補正書】
【提出日】平成18年5月23日(2006.5.23)
【手続補正１】
【補正対象書類名】明細書
【補正対象項目名】請求項０５
【補正方法】変更
【補正の内容】
【請求項０５】  複数の挿入ノーズは、それぞれ差込みリング内に配置され、２つの案内ウェブ（１５，１５′）から形成された内側の案内部（１６）内に係合されているので、この差込みリング（４）は、ハウジング（２）に対して回転しないように配置されていて、この差込みリング（４）がその差込み位置ではハウジング（２）に対して回転可能であるように、この案内部（１６）がこのハウジング（２）のこの挿入ストッパ（１１）前方で終端していることを特徴とする請求項４に記載のチップジャック。
【手続補正書】
【提出日】平成18年7月5日(2006.7.5)
【手続補正１】
【補正対象書類名】明細書
【補正対象項目名】特許請求の範囲
【補正方法】変更
【補正の内容】
【特許請求の範囲】
【請求項１】  クーポンを電子的に引き換える方法において、
候補のクーポン識別コードを受信するステップと、
前記候補のクーポン識別コードが、引き換え可能のステータスに関連付けられた所定のクーポン識別コードであるか否かを判定するステップと、
前記候補のクーポン識別コードが前記所定のクーポン識別コードである場合に、ユーザ・アカウントに褒賞ポイントを与えるステップと
を有することを特徴とするクーポンを電子的に引き換える方法。
【請求項２】  前記受信するステップは、インターネットを介してメッセージを受信することを特徴とする請求項１記載のクーポンを電子的に引き換える方法。
【請求項３】  前記判定するステップは、前記候補のクーポン識別コードの英数字の表現を前記所定のクーポン識別コードの英数字の表現と比較することを特徴とする請求項１記載のクーポンを電子的に引き換える方法。
【請求項４】  前記所定のクーポン識別コードを、ユーザ識別コードに関連付けられた特定の人口統計プロファイルに関連付けるステップを更に有することを特徴とする請求項１記載のクーポンを電子的に引き換える方法。
【請求項５】  ウェブ・ページを表示することによってマーケティング情報を提示するステップを更に有することを特徴とする請求項１記載のクーポンを電子的に引き換える方法。
【請求項６】  クーポンを電子的に引き換える方法において、
有効なクーポン識別コードのセットを定義するステップと、
候補のクーポン識別コードを受信するステップと、
前記候補のクーポン識別コードが有効なクーポン識別コードのセットの一部であるか否かを判定するステップと、
前記候補のクーポン識別コードが前記セットの一部である場合に、前記有効なクーポン識別コードに関連付けられたステータスを判定するステップと、
該ステータスが期限切れのクーポン識別コードを表わす場合に、第１のエラー・メッセージを通信するステップと、
前記ステータスが引き換え済みのクーポン識別コードを表わす場合に、第２のエラー・メッセージを通信するステップと、
前記ステータスが引き換え可能なクーポン識別コードを表わす場合に、ユーザ・アカウントに褒賞ポイントを与えるステップと
を有することを特徴とするクーポンを電子的に引き換える方法。
【請求項７】  前記受信するステップは、インターネットを介してメッセージを受信することを特徴とする請求項６記載のクーポンを電子的に引き換える方法。
【請求項８】  前記候補のクーポン識別コードが一部であるか否かを判定するステップは、前記候補のクーポン識別コードの英数字の表現を前記セットの一部の英数字の表現と比較するステップを更に有することを特徴とする請求項６記載のクーポンを電子的に引き換える方法。
【請求項９】  前記第１のエラー・メッセージは、前記第２のエラー・メッセージに実質的に相当することを特徴とする請求項６記載のクーポンを電子的に引き換える方法。
【請求項１０】  前記ステータスを引き換え済みに変更するステップを更に有することを特徴とする請求項６記載のクーポンを電子的に引き換える方法。
【請求項１１】  ユーザ識別コードを受信するステップと、
前記ステータスが期限切れのクーポン識別コード、引き換え済みのクーポン識別コード、及び無効なクーポン識別コードからなるグループのうちの一又は複数を表わす場合に、カウンタをインクリメントするステップと、
前記カウンタを所定の閾値と比較するステップと、
前記カウンタが前記所定の閾値を超える場合に、前記ユーザ識別コードに関連付けられたユーザ・アカウントを使用不能にするステップと
を更に有することを特徴とする請求項６記載のクーポンを電子的に引き換える方法。
【請求項１２】  前記所定の閾値は、時間の関数として変化することを特徴とする請求項１１記載のクーポンを電子的に引き換える方法。
【請求項１３】  電子クーポン引き換え装置において、
ユーザ識別コード及びクーポン識別コードを受信する受信器と、
該受信器と通信し、前記ユーザ識別コードが有効なユーザ・アカウントに関連付けられているか否かを判定するアカウント確認器と、
該アカウント確認器と協動し、前記クーポン識別コードが引き換え可能なクーポンに関連付けられているか否かを判定する引き換え確認器と、
該引き換え確認器と協動し、前記クーポン識別コードが引き換え可能なクーポンに関連付けられているときに、ポイントを与えるポイント授与器と、
前記ポイント授与器及び前記アカウント確認器と通信し、前記有効なユーザ・アカウント及び与えられたポイントを格納するメモリ・デバイスと、
前記アカウント確認器、前記引き換え確認器、及び前記ポイント授与器と協動し、前記クーポン引き換えのステータスに関連付けられたメッセージを送信する送信器と
を備えることを特徴とする電子クーポン引き換え装置。
【請求項１４】  前記アカウント確認器と通信し、前記ユーザ識別コード及び引き換え不可能なステータスの両方に関連付けられた多数のクーポン識別コードを計数する不正チェッカーを更に備えることを特徴とする請求項１３記載の電子クーポン引き換え装置。
【請求項１５】  前記メッセージは、与えられるポイントを表わすことを特徴とする請求項１３記載の電子クーポン引き換え装置。
【請求項１６】  前記メッセージは、エラー条件を表わすことを特徴とする請求項１３記載の電子クーポン引き換え装置。
【手続補正２】
【補正対象書類名】明細書
【補正対象項目名】０００９
【補正方法】変更
【補正の内容】
【０００９】
本願発明の別の観点によれば、電子クーポン引き換えのための装置が提供される。上記装置は、受信器と通信し、前記ユーザ識別コードが有効なユーザ・アカウントに関連付けられているか否かを判定するアカウント確認器を備えている。上記システムは、前記アカウント確認器と協動し、前記クーポン識別コードが引き換え可能なクーポンに関連付けられているか否かを判定する引き換え確認器を更に備えている。さらに、上記システムは、前記引き換え確認器と協動し、前記クーポン識別コードが引き換え可能なクーポンに関連付けられているときに、ポイントを与えるポイント授与器を備えている。加えて、上記システムは、前記ポイント授与器及び前記アカウント確認器と通信し、前記有効なユーザ・アカウント及び授与されたポイントを格納するメモリ・デバイスを備えている。更に、上記システムは、前記ポイント授与器と協動し、前記アカウント確認器、前記引き換え確認器、及び前記クーポン引き換えのステータスに関連付けられたメッセージを送信する送信器を備えている。
【手続補正書】
【提出日】平成18年6月20日(2006.6.20)
【手続補正１】
【補正対象書類名】明細書
【補正対象項目名】特許請求の範囲
【補正方法】変更
【補正の内容】
【特許請求の範囲】
【請求項１】  実行できるコードとデータの１つを含み、記憶媒体上の新しい場所へ移動した第２ファイルへのレファレンスを有する第１ファイルを求めて記憶媒体をサーチするステップと；
第２ファイルが新しい場所へ移動したことを表示するため第１ファイルに含まれるレファレンスを更新するステップと；
とから構成され、上記レファレンスは記憶媒体の第２ファイルが存在する場所へのサーチパスであり、且つ更新されたレファレンスは、第２ファイルが移動した記憶媒体上の場所への新たなサーチパスであることを特徴とする記憶媒体の管理方法。
【請求項２】  実行できるコードとデータの１つを含み、実行できるコードとデータの１つを有する特定の第２ファイルへのレファレンスを有する第１ファイルを求めて記憶媒体をサーチするサーチユニットと；
上記サーチユニットに接続し、前記第１ファイルに含まれたレファレンスを上記特定の第２ファイルに更新する更新ユニットと；
から構成され、前記レファレンスは第２ファイルが存在する記憶媒体上の場所へのサーチパスであり、更に更新されたレファレンスは第２ファイルが移動した記憶媒体上の場所への新たなサーチパスであることを特徴とする記憶媒体管理装置。
【請求項３】  バスと；
このバスに接続したプロセッサと；
このバスに接続した記憶媒体と；
このバスに接続しており且つ実行できるコードとデータの１つを含む第１ファイルを求めて前記記憶媒体をサーチするサーチユニットを有する記憶媒体管理装置と；
前記サーチユニットに接続しており且つ前記特定された第２ファイルのために前記第１ファイルに含まれたレファレンスを更新する更新装置と；
から構成され、実行できるコードとデータの１つを含む特定された第２ファイルのために上記第１ファイル内のレファレンスを有しており、
前記更新レファレンスは第２ファイルが移動した前記記憶媒体上での場所への新たなサーチパスであることを特徴とするコンピュータ・システム。
【手続補正書】
【提出日】平成18年6月27日(2006.6.27)
【手続補正１】
【補正対象書類名】明細書
【補正対象項目名】特許請求の範囲
【補正方法】変更
【補正の内容】
【特許請求の範囲】
【請求項１】  患者に投薬する治療装置をプログラムするためのシステムであって、
治療装置に接続された端末と、
識別データと、治療装置データと、患者に薬を投与する治療装置をプログラムする上での薬識別データに関連した治療装置オペレーティングパラメータ及び薬識別データを含む患者治療データと、を記憶したメモリを有するプロセッサと、
前記識別データを前記プロセッサに入力するためにこのプロセッサに接続された患者識別検出手段と、
識別データ、患者データ、治療装置データ及び患者治療データを入力するために、これら識別データ、患者データ、治療装置データ及び患者治療データをメモリ内に記憶した前記プロセッサと接続した入力手段と、
前記端末及び前記検出手段を前記プロセッサに接続する通信手段であって、前記検出手段からの識別データが前記通信手段を介して前記プロセッサへ通信されるそのような通信手段とを備え、
前記プロセッサは通信された識別データと、記憶された識別データとを比較し、そして、
前記プロセッサによる識別データの許容できる比較に応答して、当該プロセッサは治療装置オペレーティングパラメータを前記端末にダウンロードし、前記ダウンロードされたオペレーティングパラメータに従って前記治療装置をプログラムし且つ操作することを特徴とするシステム。
【請求項２】  検出手段が、受動的に個人を識別するための受動識別システムを含む請求項１に記載のシステム。
【請求項３】  前記受動識別システムが、ＲＦトランスポンダ(RF transponder)を含む請求項２に記載のシステム。
【請求項４】  個人に付けられた識別装置をさらに含み、
前記ＲＦトランスポンダが前記個人の識別を表す信号を前記プロセッサに提供するために前記識別装置と相互作用することを特徴とする請求項３に記載のシステム。
【請求項５】  前記識別装置が、電子回路を含む請求項４に記載のシステム。
【請求項６】  前記メモリが、治療装置位置データも記憶することを特徴とする請求項１に記載のシステム。
【請求項７】  前記端末が前記治療装置位置データを前記治療装置から受け取り、且つ前記通信手段がこの治療装置位置データも通信し、そして、
前記端末は前記通信手段を介してこの治療装置位置データを前記プロセッサへ通信し、そして前記プロセッサはこの治療装置位置データを前記メモリ内に記憶することを特徴とする請求項６に記載のシステム。
【請求項８】  前記メモリが、治療装置使用データも記憶する請求項１に記載のシステム。
【請求項９】  前記端末が前記治療装置使用データを前記治療装置から受け取り、且つ前記通信手段がこの治療装置使用データも通信し、そして
前記端末は前記通信手段を介してこの治療装置使用データを前記プロセッサへ通信し、そして前記プロセッサは通信された治療装置使用データを前記メモリ内に記憶することを特徴とする請求項８に記載のシステム。
【請求項１０】  前記メモリが、治療装置保守データも記憶する請求項１に記載のシステム。
【請求項１１】  前記第１端末が前記治療装置保守データを前記治療装置から受け取り、且つ前記通信手段がこの治療装置保守データも通信し、そして
前記端末は前記通信手段を介してこの治療装置保守データを前記プロセッサへ通信し、そして前記プロセッサは通信された治療装置保守データを前記メモリ内に記憶することを特徴とする請求項１０に記載のシステム。
【請求項１２】  前記メモリに記憶された識別データ及び治療装置オペレーティングパラメータは、医療管理記録を有することを特徴する請求項１に記載のシステム。